(57)【要約】【課題】ドライアイス洗浄時に乱気流の発生を抑えつつ異物の除去が可能なフィルム洗浄装置を提供する。【解決手段】ロール状に巻かれたウェブフィルムＷを巻き出す巻出し装置２と、ウェブフィルムＷを液体で洗浄する第１洗浄部３１、第２洗浄部３３と、洗浄したウェブフィルムＷを乾燥する第１乾燥部３２、第２乾燥部３４と、乾燥したウェブフィルムＷに対して気体とともにパウダー状のドライアイスを吹き付ける吹付けノズル４１を有し、吹付けノズル４１でドライアイスを吹き付けてウェブフィルムＷを洗浄するドライアイス洗浄部４と、ドライアイス洗浄したウェブフィルムＷをロール状に巻き取る巻取り装置６と、を備え、吹付けノズル４１は、ドライアイスの吹付け方向がウェブフィルムの洗浄面に対して斜めに傾けて設置されている。【選択図】図１
2009291678.tif 000002
【特許請求の範囲】
【請求項１】
ロール状に巻かれたフィルムを巻き出す巻出し部と、前記フィルムを液体で洗浄する洗浄部と、洗浄したフィルムを乾燥する乾燥部と、乾燥したフィルムに対して気体とともにパウダー状のドライアイスを吹き付ける吹付け部材を有し、前記吹付け部材でドライアイスを吹き付けてフィルムを洗浄するドライアイス洗浄部と、ドライアイス洗浄したフィルムをロール状に巻き取る巻取り部と、を備え、
前記吹付け部材は、ドライアイスの吹付け方向が前記フィルムの洗浄面に対して斜めに傾けて設置されていることを特徴とするフィルム洗浄装置。
【請求項２】
前記吹付け部材の吹付け方向と前記フィルムの洗浄面の接線方向とのなす角度が、１５度〜７５度の範囲であることを特徴とする請求項１に記載のフィルム洗浄装置。
【請求項３】
前記吹付け部材が複数設けられて前記フィルムの幅方向に対して傾いた方向に並び、かつ前記ドライアイスの吹付け方向が前記フィルムの進行方向と同一にならないようにして前記吹付け部材が設置されていることを特徴とする請求項１又は２に記載のフィルム洗浄装置。
【請求項４】
前記ドライアイス洗浄部には、前記フィルムを挟んで前記吹付け部材と反対の位置に、パウダー状のドライアイスを吹き付ける第２吹付け部材が設けられていることを特徴とする請求項１〜３のいずれか一項に記載のフィルム洗浄装置。
【請求項５】
前記吹付け部材の吹付け方向と前記第２吹付け部材の吹付け方向とが前記フィルムを挟んで対称となるように、前記吹付け部材及び前記第２吹付け部材が設けられていることを特徴とする請求項４に記載のフィルム洗浄装置。
【請求項６】
前記ドライアイス洗浄部には、前記フィルムを挟んで前記吹付け部材と対向する位置に、前記フィルムを支持する支持部材が設けられていることを特徴とする請求項１又は２に記載のフィルム洗浄装置。
【請求項７】
前記ドライアイス洗浄部には、吹付け部材の周囲の空気を吸引する吸引機構が設けられていることを特徴とする請求項１〜６のいずれか一項に記載のフィルム洗浄装置。
【請求項８】
前記ドライアイス洗浄部には、前記フィルムを除電する除電装置が設けられていることを特徴とする請求項１〜７のいずれか一項に記載のフィルム洗浄装置。
【請求項９】
前記フィルムの厚さが２０〜２００［μｍ］の範囲にあることを特徴とする請求項１〜８のいずれか一項に記載のフィルム洗浄装置。
【請求項１０】
前記フィルムが、単一材料、または２種類以上の複合材料からなることを特徴とする請求項１〜９のいずれか一項に記載のフィルム洗浄装置。
【発明の詳細な説明】
【技術分野】
【０００１】
本発明は、フィルムを洗浄するフィルム洗浄装置に関する。
【背景技術】
【０００２】
粒状のドライアイスを吹き付けてフィルムに付着した異物を除去する洗浄装置が知られている（例えば、特許文献１、２参照）。
【特許文献１】特開２００８−１２３８７号公報
【特許文献２】特開２００６−３０９１５８号公報
【発明の開示】
【発明が解決しようとする課題】
【０００３】
ドライアイスの吹付け時の衝撃力や、急激な温度変化、昇華による風圧によりフィルムに付着した異物が除去されるが、吹付けによる乱気流が発生して一旦除去された異物がフィルムに再付着するおそれがある。
【０００４】
そこで、本発明はドライアイス洗浄時に乱気流の発生を抑えつつ異物の除去が可能なフィルム洗浄装置を提供することを目的とする。
【課題を解決するための手段】
【０００５】
本発明のフィルム洗浄装置は、ロール状に巻かれたフィルム（Ｗ）を巻き出す巻出し部（２）と、前記フィルムを液体で洗浄する洗浄部（３１、３３）と、洗浄したフィルムを乾燥する乾燥部（３２、３４）と、乾燥したフィルムに対して気体とともにパウダー状のドライアイスを吹き付ける吹付け部材（４１）を有し、前記吹付け部材でドライアイスを吹き付けてフィルムを洗浄するドライアイス洗浄部（４）と、ドライアイス洗浄したフィルムをロール状に巻き取る巻取り部（６）と、を備え、前記吹付け部材は、ドライアイスの吹付け方向が前記フィルムの洗浄面に対して斜めに傾けて設置されていることにより上記課題を解決する。
【０００６】
本発明のフィルム洗浄装置によれば、吹付け部材によりパウダー状のドライアイスがフィルムに吹き付けられて、吹付け時の衝撃力、ドライアイスの急激な温度変化及び昇華による風圧により、フィルム表面に付着した異物が除去される。吹付け部材の吹付け方向がフィルムの洗浄面に対して斜めに傾いているので、乱気流の発生が抑制される。従って、乱気流による除去された異物の再付着を低減できる。
【０００７】
本発明のフィルム洗浄装置の一形態において、前記吹付け部材の吹付け方向と前記フィルムの洗浄面の接線（Ｔ）方向とのなす角度が、１５度〜７５度の範囲であってもよい。この形態によれば、乱気流の発生を効果的に抑制することができる。
【０００８】
本発明のフィルム洗浄装置の一形態において、前記吹付け部材が複数設けられて前記フィルムの幅方向（ｄ）に対して傾いた方向（ｄａ）に並び、かつ前記ドライアイスの吹付け方向が前記フィルムの進行方向と同一にならないようにして前記吹付け部材が設置されていてもよい。この形態によれば、ロール状フィルムであってもドライアイス吹付けにより除去する異物を短時間でフィルム端部から落とすことが可能となり、異物の再付着を起こり難くすることができる。
【０００９】
本発明のフィルム洗浄装置の一形態において、前記ドライアイス洗浄部には、前記フィルムを挟んで前記吹付け部材と反対の位置に、パウダー状のドライアイスを吹き付ける第２吹付け部材（４１ｂ）が設けられていてもよい。この形態によれば、フィルムの表裏面側からドライアイスを吹き付けてフィルムを洗浄することができる。
【００１０】
第２吹付け部材を設けた形態において、前記吹付け部材の吹付け方向と前記第２吹付け部材の吹付け方向とが前記フィルムを挟んで対称となるように、前記吹付け部材及び前記第２吹付け部材が設けられていてもよい。この形態によれば、吹付け部材及び第２吹付け部材の吹付け方向がフィルムを挟んで対称となるようにして設けられた場合には、ドライアイスの吹付けにより発生する気流が乱れることなく、乱気流が抑制される。
【００１１】
本発明のフィルム洗浄装置の一形態において、前記ドライアイス洗浄部には、前記フィルムを挟んで前記吹付け部材と対向する位置に、前記フィルムを支持する支持部材（４２）が設けられていてもよい。この形態によれば、支持部材によって支持されたフィルムに対してドライアイスを吹き付けて、フィルムを洗浄することができる。
【００１２】
本発明のフィルム洗浄装置の一形態において、前記ドライアイス洗浄部には、吹付け部材の周囲の空気を吸引する吸引機構が設けられていてもよい。この形態によれば、吸引機構により吹付け部材の周囲の空気を吸引することで、乱気流を抑制することができる。従って、一旦除去された異物が乱気流によって再付着することを防止することができる。
【００１３】
本発明のフィルム洗浄装置の一形態において、前記ドライアイス洗浄部には、前記フィルムを除電する除電装置が設けられていてもよい。この形態によれば、除電装置によりフィルムを除電することにより、一旦除去された異物がフィルムの帯電により誘引されることを防止することができる。
【００１４】
本発明のフィルム洗浄装置の一形態において、前記フィルムの厚さが２０〜２００［μｍ］の範囲にあってもよい。この形態によれば、フィルムに傷等のダメージを付加することなく、また、ロールフィルムの搬送にも支障なく、フィルムに付着した異物を除去することができる。
【００１５】
本発明のフィルム洗浄装置の一形態において、前記フィルムが、単一材料、または２種類以上の複合材料からなっていてもよい。この形態によれば、各構成のフィルムを洗浄することができる。
【００１６】
なお、以上の説明では本発明の理解を容易にするために添付図面の参照符号を括弧書きにて付記したが、それにより本発明が図示の形態に限定されるものではない。
【発明の効果】
【００１７】
以上、説明したように、本発明のフィルム洗浄装置においては、吹付け部材によりパウダー状のドライアイスがフィルムに吹き付けられて、吹付け時の衝撃力、ドライアイスの急激な温度変化及び昇華による風圧により、フィルム表面に付着した異物が除去される。吹付け部材の吹付け方向がフィルムの洗浄面に対して斜めに傾いているので、乱気流の発生が抑制される。従って、乱気流による除去された異物の再付着を低減できる
【発明を実施するための最良の形態】
【００１８】
図１に本発明の一形態に係るフィルム洗浄装置の概略図を示す。フィルム洗浄装置１は、ロール状のウェブフィルムＷを巻き出す巻出し部としての巻出し装置２と、巻き出したウェブフィルムＷを超音波で液体洗浄する超音波洗浄部３と、ウェブフィルムＷに対して気体とともにパウダー状のドライアイスを吹き付けて洗浄するドライアイス洗浄部４と、ウェブフィルムＷの異物、傷等の欠陥の有無を検査する検査部５と、ウェブフィルムをロール状に巻き取る巻取り部としての巻取り装置６とを備えている。巻出し装置２は、ロール状に巻かれたウェブフィルムＷを巻き出す。ウェブフィルムＷは、ロール状に巻かれた状態で巻出し装置２に供給され、巻出し装置２と巻取り装置６との間を複数のガイドローラに掛け回されて図示しない駆動源により動力を得て搬送される。
【００１９】
超音波洗浄部３は、ウェブフィルムＷに対して１回目の洗浄をする第１洗浄部３１と、第１洗浄部３１で洗浄したウェブフィルムＷを乾燥する第１乾燥部３２と、ウェブフィルムＷに対して２回目の洗浄をする第２洗浄部３３と、第２洗浄部３３で洗浄したウェブフィルムＷを乾燥する第２乾燥部３４とを備えている。第１洗浄部３１には、ウェブフィルムＷを洗浄液に浸すための洗浄槽３５と、洗浄液に超音波振動を付与する超音波発振器３６ａ、３６ｂ（区別しない場合は参照符号３６で代表することがある。）とが設けられている。洗浄槽３５には、洗浄液が貯留される。第１洗浄部３１は、ウェブフィルムＷの搬送経路が洗浄槽３５内に進入するように構成される。ウェブフィルムＷは、洗浄槽３５で洗浄液に浸けられる。超音波発振器３６ａはウェブフィルムＷの表面側に、超音波発振器３６ｂはウェブフィルムＷの裏面側にそれぞれ設けられる。超音波発振器３６として、周知の各種発振器を利用することができる。超音波発振器３６は、洗浄液中に超音波を伝播させる。なお、超音波発振器３６は、ウェブフィルムＷの表面側、あるいは裏面側のいずれか一方に設けられていてもよい。第２洗浄部３３は第１洗浄部３１と同様の構成であるため、同様の符号を付して説明を省略する。
【００２０】
第１洗浄部３１及び第２洗浄部３３では、ウェブフィルムＷに対して超音波洗浄が行われる。超音波洗浄は、キャビテーション効果及び加速度効果の二種類の効果により洗浄作用が得られる。キャビテーション効果とは、超音波により液体に生じた真空の気泡が破裂することによる衝撃波を利用した洗浄効果のことである。洗浄液に超音波を照射すると、洗浄液が激しく揺さぶられ、局所的に無数の高圧力領域と低圧力領域とが生じ、低圧力領域では小さな真空の空洞が発生する。この空洞がキャビテーションで、再び圧力が高くなってキャビテーションが押しつぶされるとき、洗浄液中に衝撃波を発生させる。この衝撃波が、ウェブフィルムＷに付着した異物を剥離させる。また、超音波の振動加速度が速いため、加速度による効果としてウェブフィルムＷから異物を振り切り離す効果がある。例えば、２８［ｋＨｚ］の超音波で１０００［Ｇ］の加速度が発生する。
【００２１】
第１洗浄部３１では、１００［ｋＨｚ］未満の周波数の超音波が設定される。第２洗浄部３３では、１００［ｋＨｚ］以上の周波数の超音波が設定される。第１洗浄部３１では、一例として、周波数が２８〜５０［ｋＨｚ］の範囲となる低周波の超音波を洗浄液に照射する。キャビテーション効果を利用して、比較的大きな異物が除去されて、ウェブフィルムＷが洗浄される。一方、第２洗浄部３３では、一例として、周波数が１２０〜２０００［ｋＨｚ］の範囲となる高周波を洗浄液に照射する。これにより、キャビテーションの発生がほとんどなく、振動加速度によるウェブフィルムＷへの傷等のダメージが加えられることがない。よって、微細な異物までも除去することが可能となる。また、第１洗浄部３１及び第２洗浄部３３の洗浄液の温度は、１０〜８０［℃］の範囲で設定され、特に、２０〜５０［℃］の範囲で設定されることが好ましい。これにより、フィルムに負担を付加することなく洗浄することができる。第１洗浄部３１及び第２洗浄部３３の超音波のエネルギー出力は、０．５〜１０［Ｗ／ｃｍ２］の範囲に設定されていることが好ましい。これによれば、ウェブフィルムＷに傷等のダメージを付加することなく、ウェブフィルムＷに付着した異物を除去することができる。０．５［Ｗ／ｃｍ２］未満であると十分に異物除去することができず、１０［Ｗ／ｃｍ２］を超えるとウェブフィルムＷに傷が入り易くなる。
【００２２】
第１洗浄部３１及び第２洗浄部３３の洗浄時間の合計は、６０秒〜３０分の範囲に設定され、特に、６０秒〜２０分の範囲に設定されることが好ましい。一例として、第１洗浄部３１の洗浄時間は３０秒〜１５分の範囲に設定し、第２洗浄部３３の洗浄時間は３０秒〜３０分の範囲に設定する。ウェブフィルムＷの厚さが２０〜２００［μｍ］の範囲に設定されていることが好ましい。これにより、ウェブフィルムＷに傷等のダメージを付加することなく、また、ロールフィルムの搬送にも支障なく、ウェブフィルムＷに付着した異物を除去することができる。２０［μｍ］未満の厚さであるとウェブフィルムＷに傷が入り易く、特にピンホール及びフィルム中の気泡などの欠陥がある場合は、そこをきっかけとしてウェブフィルムＷが破断する恐れが高くなる。一方、２００［μｍ］を超える厚さとなると経験的にウェブフィルムＷの表裏面で洗浄度の違いが確認されている。なお、洗浄液として、水、有機溶剤、洗浄剤、界面活性剤等を利用することができ、特に、純水、イソプロピルアルコール、酢酸ブチル、エタノール等のアルコール系や、アルカリ性洗浄剤を利用することが好ましい。例えば、第１洗浄部３１では洗浄液としてアルカリ性洗浄剤等の薬剤が使用された洗浄工程が、第２洗浄部３３では洗浄液として純水が使用されたリンス工程が実施される。溶解度パラメータについては、特許文献３にも記載されているが、理論上は異物と洗浄液との値を近づけるのが好ましい。しかしながらウェブフィルムＷ上の異物としては埃、繊維、フィルム粕、オイルミストなど様々が確認されており、各異物に溶解度パラメータが合った洗浄液を適用するのは実用的ではない。本発明者らは鋭意検討した結果、超音波発振器３６ａ、３６ｂがウェブフィルムＷの両面に設けられ、超音波発振器３６ａ、３６ｂがそれぞれ同出力、同周波数を有し、且つ同期させることで、洗浄液の溶解度パラメータの適正範囲を広げられることを確認した。すなわち、本発明の形態によれば、溶解度パラメータが５０（ＭＰａ）１／２以下の洗浄液であれば洗浄剤として十分適用できる。
【００２３】
ウェブフィルムＷの密度が１．００〜２．１０［ｇ／ｃｍ３］の範囲に設定されていることが好ましい。これにより、ウェブフィルムＷに傷等のダメージを付加することなく、ウェブフィルムＷに付着した異物を除去することができる。密度が１．００〜２．１０［ｇ／ｃｍ３］の範囲にあるウェブフィルムＷには、例えばポリエステルフィルム（密度１．４０）、ポリエチレンナフレタートフィルム（密度１．３８）、延伸硬質塩ビフィルム（密度１．４０）、ポリカーボネートフィルム（密度１．２０）、トリアセテートフィルム（密度１．３０）、ポリイミドフィルム（密度１．４３）、ポリスチレンフィルム（密度１．０３）、アクリルフィルム（密度１．１９）、ナイロンフィルム（密度１．１）、フェノールフィルム（密度１．３）、エポキシフィルム（密度１．１７）、ガラスとアクリルフィルムの１対１複合フィルム（密度１．８）、などが挙げられる。ウェブフィルムＷの密度が１．００［ｇ／ｃｍ３］未満であると洗浄工程において溶媒に対してフィルムが浮くために浸漬洗浄には適さない。２．１０［ｇ／ｃｍ３］を超えると、この場合はガラスなどの無機材料の複合割合が高い高分子複合材料に相当し、洗浄工程において高分子複合材料から無機材料の剥離が起こり易くなる。
【００２４】
第１乾燥部３２は、エアナイフ室３２ａと、エアナイフ室３２ａ内に設けられ、ウェブフィルムＷの表面及び裏面に設けられたエアナイフ３２ｂとを有する。エアナイフ室３２ａは、独立して設置されている。エアナイフ３２ｂは、エアの噴射口が互いに対向するようにして設置され、同程度の圧力で同時にエアを噴射する。このエアは除塵されている。これにより、大気中からの異物の再付着を防ぐことができる。エアナイフ室３２ａに設けられたエアナイフ３４ｂから噴射されるエアがウェブフィルムＷと接触する噴射領域がウェブフィルムＷの幅方向に対して傾いて形成されている。図２に、ウェブフィルムＷとエアナイフ３２ｂとの位置関係を示す。図２は、ウェブフィルムＷの上面から第１乾燥部３２を見た図である。ウェブフィルムＷの幅方向ｄに対してエアナイフ３２ｂの長軸方向が傾いているため、エアナイフ３２ｂがエアを噴射する噴射領域がウェブフィルムＷの幅方向ｄに対して傾いている。これにより、ウェブフィルムＷのようにロール状フィルムであってもエアナイフ３２ｂで切った水を短時間でフィルム端部から落とすことが可能となり、水跡が残り難くすることができる。第２乾燥部３４も第１乾燥部３２と同様にして構成される。ウェブフィルムＷの両面から均一に水分が除去されるには、液面から垂直にウェブフィルムＷが引き上げられていることが好ましい。
【００２５】
第１洗浄部３１及び第２洗浄部３３には、洗浄液循環手段があってもよい。洗浄液循環手段は、第１及び第２洗浄部３１、３３における洗浄液を回収し、再利用するもので、例えば洗浄部下方に設置したドレインパイプから洗浄液を洗浄タンクに集め、フィルターで濾過して送液ポンプにより再度洗浄部へ供給する方法が考えられる。フィルターは、洗浄液中の固形分や油分、汚れ分を分離するもので、例えば、繊維状あるいは中空繊維状タイプのフィルターを例示することができる。送液ポンプは、耐薬品性があることが好ましく、プランジャーポンプ、ダイヤフラムポンプ等を例示することができる。
【００２６】
ドライアイス洗浄部４には、気体とともにパウダー状のドライアイスを吹き付ける吹付け部材としての吹付けノズル４１ａと、第２吹付け部材としての吹付けノズル４１ｂと、が設けられている。吹付けノズル４１ａ、４１ｂ（参照符号４１で代表することがある。）は、同様の構成を有する部材で、ウェブフィルムＷを挟んで吹付けノズル４１ａと反対の位置に吹付けノズル４１ｂが設けられている。吹付けノズル４１は、ペンシル型のノズルで、気体とともにパウダー状のドライアイスをウェブフィルムＷに対して吹き付ける。なお、吹付け圧力は、０．１〜１．０［ＭＰａ］の範囲で使用され、特に、０．０５〜０．５［ＭＰａ］の範囲で使用されることが好ましい。
【００２７】
図３にウェブフィルムＷの側方から見た吹付けノズル４１とウェブフィルムＷとの位置関係を示す。吹付けノズル４１によるドライアイスの吹付け角度は、ウェブフィルムＷの洗浄面の接線方向と吹付けノズル４１の吹付け方向とのなす角度が１５〜７５度の範囲に設定され、特に、３５〜６５度の範囲が好ましい。吹付け角度が１５度未満となると、吹付けによる衝撃力が不足し、十分な洗浄効果が得られない。一方、吹付け角度が７５度を越えると、噴射されたドライアイスがウェブフィルムＷの洗浄面に衝突することで生じる乱気流の程度が大きく、一旦除去された異物が再付着するおそれがある。なお、吹付けノズル４１ａ、４１ｂは、ウェブフィルムＷの搬送方向下流側及び上流側のいずれの側に傾けてもよく、各ノズル４１ａ、４１ｂの吹付け角度は、１５〜７５度の範囲であれば、個別に設定してもよい。各ノズル４１ａ、４１ｂの吹付け方向は共に天井方向、床方向のいずれでも良いが、床方向の方が除去した異物の舞い上がりが少なく、異物の再付着を低減できるため好ましい。各ノズル４１ａ、４１ｂの吹付け方向がウェブフィルムＷに対して対称となるように各ノズル４１ａ、４１ｂが設けられていてもよい。
【００２８】
図４に、ウェブフィルムＷのフィルム面側から見た吹付けノズル４１とウェブフィルムＷとの位置関係を示す。吹付けノズル４１ａ、４１ｂは、それぞれ、ウェブフィルムＷの幅方向ｄに対して傾いた並び方向ｄａに並んでいる。つまり、一対の吹付けノズル４１ａ、４１ｂが並び方向ｄａに複数設けられている。ウェブフィルムＷの幅方向ｄに対して吹付けノズル４１の並び方向ｄａが傾いているため、ウェブフィルムＷのようにロール状フィルムであってもドライアイス吹付けにより除去した異物を時間でフィルム端部から落とすことが可能となり、異物の再付着を起こり難くすることができる。更に、吹付けノズル４１はウェブフィルムＷの幅方向ｄに揺動することが好ましく、これによりフィルム全面にドライアイスを均一に吹き付けることができる。
【００２９】
ドライアイス洗浄部４では、高圧の液化炭酸ガスを自由膨張させることにより生成したパウダー状のドライアイスを、圧縮空気又は窒素ガスを利用したアシストガスにより加速させてウェブフィルムＷに吹き付ける。なお、ドライアイスは、０．０２〜１．０［ｍｍ］の範囲の粒径のものが使用され、特に、５０〜５００［μｍ］の範囲の粒径が好ましい。液化炭酸ガスの流量は、２０〜５００［ｇ／ｍｉｎ］の範囲で使用され、特に、５０〜３００［ｇ／ｍｉｎ］の範囲で使用されることが好ましい。アシストガスの流量は、１０〜９００［Ｌ／ｍｉｎ］の範囲で使用され、特に、５０〜４００［Ｌ／ｍｉｎ］の範囲で使用されることが好ましい。
【００３０】
ドライアイス洗浄部４は、アシストガスを加熱するヒーターを有していてもよい。ヒーターによりアシストガスの温度をコントロールすることができる。加熱したアシストガスをドライアイスとともにウェブフィルムＷに吹き付けることで、吹付けノズル４１ａ、４１ｂの吐出口の結露を防止し、かつウェブフィルムＷの温度低下によるダメージを低減することが可能となる。なお、アシストガスの温度は、２０〜８０［℃］の範囲で使用され、特に、２５〜６５［℃］の範囲で使用されることが好ましい。
【００３１】
ドライアイスは、ウェブフィルムＷに接触すると、固体から気体に昇華する。その際の体積膨張により約５．２７［ｋｇｆ／ｃｍ２］の圧力が発生することにより強力な洗浄効果が得られる。このため、ドライアイスによる傷が生じることなくウェブフィルムＷは洗浄される。一方、ウェブフィルムＷの異物に対しては急激な冷却作用が生じるため、ウェブフィルムＷから剥がれやすくなり、洗浄の効果が高まる。ドライアイス洗浄部４は、吹付けノズル４１の周辺に空気を吸引する吸引機構を設けてもよい。ドライアイスの吹付けや昇華による風圧が乱気流の原因となるため、吸引機構により吹付けノズル４１の周囲の空気を吸引することで、乱気流を抑制することができる。従って、一旦除去された異物が乱気流によって再付着することを防止することができる。吸引機構は、吹付けノズル４１の下方位置に設けてもよい。また、ドライアイス洗浄部４は、ウェブフィルムＷを除電する除電装置を設けてもよい。除電することにより、一旦除去された異物がウェブフィルムＷの帯電により誘引されることを防止することができる。なお、除電装置としては、電圧印加式の除電装置が好ましく、一例として、Ｒｉｃｈｍｏｎｄ  Ｓｔａｔｉｃ  Ｃｏｎｔｒｏｌ  Ｓｅｒｖｉｃｅｓ  Ｉｎｃ．製のＰｕｌｓｅｒ  Ｆｌｏｗ  Ｃｏｎｔｒｏｌｌｅｒ  ＰＦＣ−２０（商標）を利用することができる。
【００３２】
ドライアイス洗浄部４はフィルム乾燥部としても使用してもよい。フィルムに対して気体とともにパウダー状のドライアイスを吹き付けることにより、フィルム表面の水分をドライアイスによって氷にし、吹き飛ばすことができる。更に、常温による水分除去が可能であるため、熱乾燥によるフィルムの変形、変質を防ぐことができる。
【００３３】
検査部５には、ＣＣＤセンサが設けられている。ＣＣＤセンサにより、ウェブフィルムＷの異物や傷等の欠陥の有無が検査される。巻取り装置６は、ウェブフィルムＷをロール状に巻き取る。
【００３４】
フィルム洗浄装置１の動作を説明する。ウェブフィルムＷは、巻出し装置２から巻き出されて第１洗浄部３１に搬送される。ウェブフィルムＷは、洗浄層３５に浸けられて超音波洗浄される。ウェブフィルムＷは超音波発振器３６ａ、３６ｂにより、表裏面側からそれぞれ超音波が発振されて洗浄される。第１洗浄部３１では、１００［ｋＨｚ］未満の周波数の超音波が使用される。最初の洗浄工程が異物除去効果の高い低周波の超音波洗浄工程であるため、第１洗浄部３１では大きな異物が取り除かれる。洗浄後は第１乾燥部３２で、エアナイフ３２ｂにより高圧のエアを帯状に噴射し、ウェブフィルムＷの水切りをする。エアナイフ３２ｂのエアの噴射領域が、ウェブフィルムＷの幅方向ｄに対して傾いて形成されているので、ウェブフィルムＷのようにロール状フィルムであってもエアナイフ３２ｂで切った水を短時間でフィルム端部から落とすことが可能となり、水跡を残り難くすることができる。
【００３５】
次に、第２洗浄部３３にて、１００［ｋＨｚ］以上の周波数の超音波による洗浄工程が実施される。第１洗浄部３１で大きな異物が除去されているので、第２洗浄部３３では、小さな異物が除去されることにより、十分な洗浄効果を得ることができる。第１洗浄部３１及び第２洗浄部３３での洗浄工程の合計時間が６０秒から３０分の範囲に設定することで、第１洗浄部３１の洗浄時間を短く設定しても第２洗浄部３３による洗浄で異物を十分に除去することができる。従って、合計した洗浄時間が６０秒以上であっても、ウェブフィルムＷに対して洗浄による傷等のダメージはない。また、第１洗浄部３１及び第２洗浄部３３の超音波発振器３６とウェブフィルムＷとの距離をＷ、洗浄液中での超音波速度をＵ、かつ１０００［ｍ／ｓ］＜Ｕ＜２０００［ｍ／ｓ］とし、第１洗浄部３１及び第２洗浄部３３における超音波周波数をＨ、正の整数ｎ、としたときに、式Ｗ＝Ｕ÷Ｈ×ｎを満たすようにしてもよい。Ｕは超音波周波数や洗浄液の種類、温度により範囲をもつ。上記式の意味するところは、超音波発振器３６とウェブフィルムＷとの距離は超音波一波長の整数倍であることであり、実験によると、まだ理論的には説明できないが、結果として波長の整数倍にある試料はよく汚れが落ちることが確認できている。
【００３６】
第２乾燥部３４で第１乾燥部３２と同様に水切りした後、ウェブフィルムＷは、ドライアイス洗浄部４に搬送される。ドライアイス洗浄部４では、第１洗浄部３１及び第２洗浄部３３で除去されずに残留した異物に対して、パウダー状のドライアイスが衝突することにより、それら異物が除去される。吹付けノズル４１ａ、４１ｂが、それぞれウェブフィルムＷの表裏面側から同程度の強さでドライアイスを吹き付ける。吹付けノズル４１ａ、４１ｂの吹付け角度は、ウェブフィルムＷの洗浄面の法線方向に対して１５〜７５度の範囲に設定されているので、ドライアイスの吹付けや昇華による風圧により生じる乱気流の発生を抑えることができる。従って、一旦除去された異物の乱気流による再付着を低減することができる。また、吹付けノズル４１ａ、４１ｂは、ウェブフィルムＷの表面及び裏面のそれぞれに複数設けられてウェブフィルムＷの幅方向ｄに対して傾いた並び方向ｄａに並んでいるので、ウェブフィルムＷのようにロール状フィルムであってもドライアイス吹付けにより除去した異物を時間でフィルム端部から落とすことが可能となり、異物の再付着を起こり難くすることができる。ドライアイス洗浄により、フィルム乾燥効果も得られる。ウェブフィルムＷに対して気体とともにパウダー状のドライアイスを吹き付けることにより、フィルム表面の水分をドライアイスによって氷にし、吹き飛ばすことができる。更に、常温による水分除去が可能であるため、熱乾燥によるフィルムの変形、変質を防ぐことができる。吹付けノズル４１がウェブフィルムＷの幅方向ｄに揺動することで、ウェブフィルムＷ全面にドライアイスを均一に吹き付けることができる。
【００３７】
検査部５では、ＣＣＤセンサによるウェブフィルムＷの欠陥の有無が検査される。フィルム洗浄装置１には、ラベラが設けられていてもよく、欠陥が検出された場合には、ラベラにより欠陥のある箇所を示すようにウェブフィルムＷにラベルが貼られる。これにより、次工程で欠陥のある箇所を避けてウェブフィルムＷを処理することができる。その後、ウェブフィルムＷは巻取り装置６によりロール状に巻き取られる。
【００３８】
本発明は、上述した形態に限定されることなく、種々の形態にて実施することができる。例えば、本形態では、吹付けノズル４１ａ、４１ｂを２つ設置した例で説明したが、吹付けノズルは１つであってもよい。図５に吹付けノズル４１の設置に係る変形例の概略図を示す。変形例に係る吹付けノズル４１ｃは、吹付けノズル４１ａ、４１ｂと同様の構成のノズルで、吹付けノズル４１ｃに対向する位置には、ウェブフィルムＷを支持する支持部材としての支持ロール４２が設けられている。支持ロール４２により裏面側からウェブフィルムＷが支持され、吹付けノズル４１ｃによるドライアイス洗浄が行われる。この場合においてもウェブフィルムＷの洗浄面の接線方向Ｔと吹付けノズル４１ｃの吹付け方向とのなす角度が１５〜７５度の範囲に設定され、特に、３５〜６５度の範囲が好ましい。ドライアイスの吹付けや昇華による風圧により生じる乱気流の発生を抑えることができる。従って、一旦除去された異物の乱気流による再付着を低減することができる。なお、支持部材として支持ロール４２の他に、ガイド等用いてもよい。また、支持ロール４２の軸線方向に沿って並ぶように複数の吹付けノズル４１ｃを設けてもよい。
【００３９】
２種類以上の複合材料からなるウェブフィルムＷとしては、例えば、多官能アクリレート樹脂をガラス繊維に含浸した後に紫外線硬化装置により連続的に硬化して得られる複合フィルムや、単一材料からなるフィルムの少なくとも片面に膜厚３０〜１００［ｎｍ］のＳｉＯｘやＩＴＯなどの成膜を行った積層フィルムが挙げられる。これら複合材料からなるウェブフィルムＷの場合は、ガラスや無機膜が含まれているため、単一材料からなるフィルムと比較し、脆い欠点があり、特にフィルム厚さ方向の力により傷が入り易い。超音波洗浄やドライアイス洗浄はまさにフィルム厚さ方向の力がかかる洗浄である。本発明によれば、超音波周波数、超音波エネルギー、洗浄時間、フィルム膜厚、を適切な範囲に設定するため、フィルムへの負担低減と異物除去が可能となり、これら複合材料からなるフィルムの場合でも、問題なく傷なく洗浄することができる。吹付けノズル４１は、ウェブフィルムＷの幅に応じて、単数あるいは複数個を適宜の間隔で設けてよい。吹付けノズル４１の並び方向ｄａがウェブフィルムＷの幅方向ｄに対して傾いている例で説明したが、並び方向ｄａが幅方向ｄと平行であってもよい。
【実施例】
【００４０】
図６に示す表を参照して、本形態のフィルム洗浄装置１の実施例について説明する。図６は、実施例の評価結果を示す表Ｔａである。ウェブフィルムＷには単一材料からなる１００［μｍ］厚さのポリエステルフィルム（品名：コスモシャインＡ４３００，メーカー：東洋紡績（株））を用い、洗浄液にはアルカリ洗浄液３ｗｔ％（品名：セミコクリーン２３、メーカー：フルウチ化学（株））を用いた。実施例１〜５では、第１洗浄部３１での洗浄における超音波の周波数を４０［ｋＨｚ］に設定し、第２洗浄部３３での洗浄における超音波の周波数を１４０［ｋＨｚ］に設定してウェブフィルムＷの洗浄処理を行った。第１洗浄部３１及び第２洗浄部３３での合計洗浄時間は、実施例１〜５でそれぞれ９０秒、１８分、１０分、１０分、１０分とし、ドライアイス洗浄部４での吹付けノズル４１の吹付け角度は、実施例１〜３ではドライアイスの吹付けなし、実施例４では３０度、実施例５では７０度にそれぞれ設定してドライアイスによる洗浄を行った。比較例１は、第１洗浄部３１での洗浄における超音波の周波数を４０［ｋＨｚ］に設定し、第１洗浄部３１のみで洗浄を１０分間行い、比較例２は、第２洗浄部３３での洗浄における超音波の周波数を１４０［ｋＨｚ］に設定し、第２洗浄部３３のみで洗浄を１０分間行い、それぞれ、ドライアイスによる洗浄は行わなかった。比較例３は、第１洗浄部３１での洗浄における超音波の周波数を４０［ｋＨｚ］に設定し、第２洗浄部３３での洗浄における超音波の周波数を１４０［ｋＨｚ］に設定して、第１洗浄部３１及び第２洗浄部３３での合計洗浄時間を１０分、ドライアイスの吹付け角度を９０度に設定してドライアイスによる洗浄を行った。
【００４１】
［評価方法］
異物個数：各実施例及び比較例における洗浄工程終了後のウェブフィルムＷを異物検出器（品名：ＳＣＡＮＴＥＣ７０００Ｃ２ｓｙｓ２、メーカー：長瀬産業（株））に通して検査を行い、３００×３００［ｍｍ］面積あたりの１５［μｍ］以上の埃、繊維、フィルム片等の異物を計数した。
ウェブフィルムＷの傷：投光器を用いた目視による傷を確認した。
【００４２】
比較例１によると、低周波による洗浄のみの場合には、残った異物の数は少ないが傷が発生した。比較例２は高周波による洗浄のみのため、残った異物の数が多く、洗浄が十分になされていない可能性がある。比較例１、２と比べると、実施例１〜３は、良好に洗浄が行われていることがわかる。低周波と高周波の超音波洗浄を組み合わせることで、６０秒以上の洗浄時間であっても傷の発生がなく、しかも良好に異物を除去することができる。
【００４３】
比較例３は、ドライアイス洗浄部４の吹付けノズル４１の吹付け角度が９０度、つまり、ウェブフィルムＷに対して直角にドライアイスを吹き付けた場合で、残った異物の数が多く、傷も発生している。吹付けによる乱気流の影響が大きく、一旦除去された異物が再付着して、その際に傷も発生しているものと考えられる。実施例４、５では、乱気流の発生が抑えられ、良好に異物が除去されている。ドライアイスを吹き付けない実施例３と比べても、残った異物の個数が少なく、ドライアイス洗浄により、良好に異物が除去されていることがわかる。
【図面の簡単な説明】
【００４４】
【図１】本発明の一形態に係るフィルム洗浄装置の概略図。
【図２】ウェブフィルムとエアナイフとの位置関係を説明する図。
【図３】ウェブフィルムの側方から見た吹付けノズルとウェブフィルムとの位置関係を説明する図。
【図４】ウェブフィルムのフィルム面側から見た吹付けノズルとウェブフィルムとの位置関係を説明する図。
【図５】吹付けノズルの設置に係る変形例の概略図。
【図６】実施例の評価結果を示す表。
【符号の説明】
【００４５】
１  フィルム洗浄装置
２  巻出し装置（巻出し部）
３  超音波洗浄部（洗浄部）
４  ドライアイス洗浄部
６  巻取り装置（巻取り部）
４１ａ、４１ｃ  吹付けノズル（吹付け部材）
４１ｂ  吹付けノズル（第２吹付け部材）
Ｗ  ウェブフィルム（フィルム）
【図１】
2009291678.tif 000003
【図２】
2009291678.tif 000004
【図３】
2009291678.tif 000005
【図４】
2009291678.tif 000006
【図５】
2009291678.tif 000007
【図６】
2009291678.tif 000008